(57)【要約】【課題】放送番組表と個人番組表を１つのＥＰＧとして合成表示し、放送番組表の操作と同一の操作により個人コンテンツの選択及び視聴が可能な番組表示装置を提供することを目的とする。【解決手段】放送網から受信した放送番組に関する情報に基づき放送番組表を作成し、ボタンフレームと放送番組情報の対応表を作成するＥＰＧ生成部と、個人コンテンツに関する情報に基づき個人番組表をボタンフレームに割り当て、個人番組表のボタンフレームとコンテンツ情報の対応表を作成する合成部と、合成部が生成したＥＰＧを画面上に一覧表示する表示部とを備え、放送番組表と個人番組表を１つのＥＰＧとして合成表示することにより、放送番組表の操作と同一の操作により個人コンテンツの選択及び視聴が可能となる。【選択図】図１
2006191254.tif 000002
【特許請求の範囲】
【請求項１】
視聴可能な放送番組を画面上に一覧表示する番組表示装置であって、
放送番組に関する情報を受信する放送番組受信部と、
個人コンテンツに関する情報を受信する受信部と、
前記受信した放送番組に関する情報を元に放送番組表を生成し、前記受信した個人コンテンツに関する情報を元に個人番組表のための空白の番組領域を生成する番組表生成部と、
前記生成した個人番組表のための空白の番組領域に、個人コンテンツの内容を示す情報を配置し、合成番組表を生成する合成部と、
前記合成部が生成した合成番組表を画面に表示する表示部とを備えたことを特徴とする番組表示装置。
【請求項２】
前記受信した個人コンテンツに関する情報を識別する認証部を備え、
前記認証部は、個人コンテンツを個人番組表として一覧表示するか否かを識別することを特徴とする請求項１記載の番組表示装置。
【請求項３】
前記表示部が画面表示した合成番組表に基づき、視聴対象の番組を選択し、前記選択された番組を受信する操作管理部を備えることを特徴とする請求項１記載の番組表示装置。
【請求項４】
前記操作管理部は、前記選択した番組が放送番組表に基づく場合、放送網経由で放送番組の視聴を開始し、前記選択した番組が個人番組表に基づく場合、通信網経由で個人コンテンツの視聴を開始することを特徴とする請求項１記載の番組表示装置。
【発明の詳細な説明】
【技術分野】
【０００１】
本発明は、放送を受信する放送受信装置において、視聴対象のコンテンツを番組表として表示する番組表示装置に関するものである。
【背景技術】
【０００２】
近年、ＥＰＧ（電子番組ガイド）と呼ばれるテレビの画面に番組表を表示するシステムが一般的になっている。ユーザは、このＥＰＧから所望の放送番組を探し、視聴を開始することができる。
【０００３】
また、通信回線のブロードバンド化やストリーミング技術の発達により、パソコン端末を使ってインターネット上の個人コンテンツを視聴できるようになっている。
【０００４】
しかしながら、パソコン端末を使ってインターネット上の個人コンテンツ（動画など）にアクセスするためには、ユーザ側にある程度のパソコンのスキルが要求される。例えば、個人コンテンツを検索するためのＷｅｂブラウザの操作、個人コンテンツを視聴するためのプレイヤーの設定・操作が必要となる。そのため、パソコン端末を使って個人コンテンツにアクセスすることは、誰もが簡単にできる操作ではなく、パソコン操作に不慣れな人にとっては難しい、といった課題があった。
【０００５】
上記、課題を解決するために、従来、テレビのような公共性の高い端末装置を用いて、番組表経由で通信網上のコンテンツにアクセスする手法が考えられている。特許文献１は、ビデオ・オン・デマンド用の番組表を用いてコンテンツにアクセスする技術であり、放送番組表とビデオ・オン・デマンド用の番組表の２つを切り替え可能とし、個人コンテンツにアクセスするための、ビデオ・オン・デマンド用の番組表に対するユーザインタフェースをユーザに提供するものである。
【特許文献１】特開２００２−３００５６７号公報
【発明の開示】
【発明が解決しようとする課題】
【０００６】
しかし、前記従来の技術では、放送番組表とビデオ・オン・デマンド用の番組表の２つのユーザインタフェースをユーザに提供することになるため、番組表の切り替え等の作業が必要となり、さらに２つのユーザインタフェースを使い分ける必要が生じることにより、ユーザの利便性や操作性を損なうという課題を有していた。
【０００７】
本発明は、前記従来の課題を解決するもので、テレビのような公共性の高い端末装置を用いた個人コンテンツへの簡易アクセスを可能とする番組表示装置を提供することを目的とする。
【課題を解決するための手段】
【０００８】
前記従来の課題を解決するために、本発明の番組表示装置は、視聴可能な放送番組を画面上に一覧表示する番組表示装置であって、放送番組に関する情報を受信する放送番組受信部と、個人コンテンツに関する情報を受信する受信部と、前記受信した放送番組に関する情報を元に放送番組表を生成し、前記受信した個人コンテンツに関する情報を元に個人番組表のための空白の番組領域を生成する番組表生成部と、前記生成した個人番組表のための空白の番組領域に、個人コンテンツの内容を示す情報を配置し、合成番組表を生成する合成部と、前記合成部が生成した合成番組表を画面に表示する表示部とを備え、放送番組表と個人番組表を１つのＥＰＧとして合成表示することにより、放送番組表の操作と同一の操作により個人コンテンツの選択及び視聴することが可能となる。
【発明の効果】
【０００９】
本発明の番組表示装置によれば、ＥＰＧに個人コンテンツへのアクセスＧＵＩを合成表示することにより、ＥＰＧ操作と同一の操作により個人コンテンツの選択及び視聴ができるようになる。
【発明を実施するための最良の形態】
【００１０】
以下、本発明の実施の形態について、図面を参照しながら説明する。
【００１１】
図１は、本発明の実施の形態における番組表示装置の構成を表した図である。また、図１４は、システム構成図であり、放送網を介して放送番組を提供する放送系システム（放送局）と、インターネットなどの通信網を介してコンテンツを提供するコンテンツサーバ（コンテンツ提供者）と、受け取った放送番組やコンテンツを視聴する端末装置（例えば、テレビなど）とから構成されている。端末装置は、放送網と通信網の両方に接続しており、本発明である番組表示装置を備えている。
【００１２】
図1において、本発明の実施の形態における番組表示装置１０１は、放送番組受信部１０２と、認証部１０３と、認証情報データベース記憶部１０４（以下、認証情報ＤＢと記載）と、コンテンツ情報受信部１０５と、コンテンツ情報データベース記憶部１０６（以下、コンテンツ情報ＤＢと記載）と、ＥＰＧ生成部１０７と、放送番組情報データベース記憶部１０８（以下、放送番組ＤＢと記載）と、ビットマップ画像生成部１０９と、合成部１１０と、表示部１１１と、操作管理部１１２と、対応表データベース記憶部１１３（以下、対応表ＤＢと記載）と、チューナ部１１４と、ＩＰ受信部１１５と、出力部１１６とを備えている。
【００１３】
放送番組受信部１０２は、放送網を介してＥＰＧを生成するための放送番組に関する情報を受信し、受信した放送番組に関する情報を、放送番組情報ＤＢ１０８に蓄積処理する。
【００１４】
認証部１０３は、通信網を介して個人コンテンツに関する情報を受信し、受信した個人コンテンツに関する情報を識別する。通信網から届く全ての個人コンテンツに関する情報を受信した場合、ユーザが必要としない情報も入り込んでくる可能性がある。そのため、認証部１０３では、個人コンテンツに関する情報を受信した場合、あらかじめ登録した認証情報ＤＢ１０４の情報を元に認証を行ない、確認がとれた個人コンテンツに関する情報のみをコンテンツ情報受信部１０５に送信する。確認がとれなかった個人コンテンツに関する情報に関しては、破棄したりエラーを返したりする。個人コンテンツに関する情報の識別方法としては、個人コンテンツに関する情報の中に認証情報を内包させておく、あらかじめ認証手続を完了したユーザからの個人コンテンツに関する情報のみを受信する、等の方法が考えられる。
【００１５】
コンテンツ情報受信部１０５は、認証部１０３で受信が許可された個人コンテンツに関する情報を、認証部１０３から受信し、受信した個人コンテンツに関する情報をコンテンツ情報ＤＢ１０６に蓄積処理する。
【００１６】
この個人コンテンツに関する情報は、個人コンテンツの提供者名（例えば、「山田太郎」など）、個人コンテンツのタイトル（例えば、「個人放送１」など）、個人コンテンツの内容（例えば、「娘の入園式」など）、個人コンテンツの内容を視覚的にとらえやすくするためのサムネイル画像（例えば、「娘の入園式」のワンシーンなど）、個人コンテンツの格納場所を特定するための情報（例えば、「ＩＰアドレス」や「コンテンツの動画ファイル名」など）から構成される。また、その他の情報として、個人コンテンツの作成日時や個人コンテンツの視聴に要する時間といった情報も内包することができる。
【００１７】
ＥＰＧ生成部１０７は、放送番組情報ＤＢ１０８に蓄積されている放送番組に関する情報を元に、放送番組表を作成する。作成する放送番組表には、図２で示すように、放送局名（例えば、「○○テレビ」など）、番組名（例えば、「スポーツ中継〜野球」など）、番組内容（例えば、「チームＡ対チームＢ」など）、放送時間（例えば、「１４時〜１６時まで」など）等の情報を含んでいる。次に、作成した放送番組表に、個人番組表のための領域を生成する。例えば、図３で示すように、コンテンツ情報ＤＢ１０６に蓄積されている個人コンテンツに関する情報を元に、個人番組表のための空白の番組領域、具体的にはボタンフレームを個人コンテンツの数（例えば、図３では、コンテンツ数が２の場合を想定している。）だけ生成することになる。
【００１８】
また、放送番組表のボタンフレームと放送番組情報の対応表をつくり、対応表ＤＢ１１３に蓄積処理する。この対応表は、ユーザのＥＰＧ操作によりボタンフレームが選択されたときのアクションを決定するために使用するものであり。空白のボタンフレームに対しても、通常のＥＰＧ操作であるボタンフレームの選択操作（例えば、番組を選択する際の操作）や決定操作（例えば、番組の視聴を開始する際の操作）を行なうことができる。例えば、図４で示すように、空白のボタンフレーム４０１をリモコン操作等で選択した場合、そのボタンフレームの色が変化し選択されたことが識別できるように動作する。
【００１９】
ビットマップ画像生成部１０９は、合成部１１０からビットマップ画像の生成依頼を受け、コンテンツ情報ＤＢ１０６に蓄積されている個人コンテンツに関する情報を元に、ＥＰＧ生成部１０７で生成された個人番組表の空白のボタンフレームにはるためのビットマップ画像を生成する。例えば、図５に示すように、コンテンツの提供者名を示すビットマップ画像５０１、コンテンツのタイトルおよび内容を示すビットマップ画像５０２、コンテンツの内容を視覚的にとらえやすくするためのサムネイル画像５０３を生成する。
【００２０】
合成部１１０は、ＥＰＧ生成部１０７が生成した番組表を受け取り、ビットマップ画像生成部１０９にビットマップ画像の生成を依頼し、その応答として受け取ったビットマップ画像を番組表内の所定の番組領域に配置する。これにより、放送番組表と個人番組表を備えた合成番組表を生成する。例えば、図６で示すように、個人番組表の空白のボタンフレームに、図５で示したビットマップ画像生成部１０９で生成したビットマップ画像のはりつけを行なう。その際、個人番組表のボタンフレームとコンテンツ情報の対応表をつくり、対応表ＤＢ１１３を更新する。この対応表は、ユーザのＥＰＧ操作によりボタンフレームが選択されたときのアクションを決定するために使用するものである。図６で示すように、個人コンテンツへのアクセスに関しては、放送番組と異なり、放送時間という概念を持たないことが多い。しかし、個人コンテンツの提供者がコンテンツへのアクセス時間を制限したい場合が考えられる。そこで、図７で示すように、個人放送１の「娘の入園式」を１４時から１６時まで放送し、個人放送２の「息子の運動会」を１６時から１８時まで放送する、といった個人番組表の表示方法にしてもよい。
【００２１】
表示部１１１は、合成部１１０で生成したＥＰＧを画面上に一覧表示する。
【００２２】
操作管理部１１２は、表示部１１１が表示中のＥＰＧ画面において、放送番組が選択されたか、個人コンテンツが選択されたかを判定する。放送番組が選択された場合は、対応表ＤＢ１１３から放送番組情報を取得し、後述するチューナ部１１４へ受信命令を出す。また、個人コンテンツが選択された場合は、対応表ＤＢ１１３からコンテンツ情報を取得し、後述するＩＰ受信部１１５へ受信命令を出す。チューナ部１１４への受信命令には、該当するチャネルの情報を内包する。また、ＩＰ受信部１１５への受信命令には、対応表ＤＢ１１３から読み出した個人コンテンツの格納場所を特定するための情報（例えば、「ＩＰアドレス（１９２．１６８．１０．１）」や「コンテンツの動画ファイル名（ｍｏｖｉｅ．ｍｐｇ）」など）を内包する。
【００２３】
チューナ部１１４は、操作管理部１１２から受け取ったチャネルの情報を元に、放送番組の映像・音声情報を受信する。
【００２４】
ＩＰ受信部１１５は、操作管理部１１２から受け取った個人コンテンツの格納場所を特定するための情報を元に、インターネット上の個人コンテンツにアクセスし、個人コンテンツの映像・音声情報をＩＰパケットして受信する。そして、受信したＩＰパケットを解包する処理や圧縮された映像・音声情報をデコードする処理を行なう。
【００２５】
出力部１１６は、表示画面やスピーカなどであり、チューナ部１１４やＩＰ受信部１１５からの映像・音声（放送番組やコンテンツ）を受信し、映像や音声を出力する。
【００２６】
次に、本発明の実施の形態における、番組表示装置が、放送網からの放送番組情報と通信網からのコンテンツに関する情報（個人番組表）を合成して画面に表示する動作について、図８〜図１２を用いて説明する。
【００２７】
まず、番組表示装置が、放送網から放送番組情報を受信する（図８参照）。
【００２８】
放送番組受信部１０２は、ＥＰＧを生成するための放送番組に関する情報を受信する（ステップＳＴ１）。受信した放送番組に関する情報は、放送番組情報ＤＢ１０８に蓄積される（ステップＳＴ２）。
【００２９】
次に、通信網から個人コンテンツに関する情報を受信する（図９参照）。
【００３０】
認証部１０３は、個人コンテンツに関する情報を受信し（ステップＳＴ３）、あらかじめ登録した認証情報ＤＢ１０４の情報を読み込み（ステップＳＴ４）、読み込んだ情報を元に認証を行ない（ステップＳＴ５）、確認がとれた個人コンテンツに関する情報のみをコンテンツ情報受信部１０５に送信する（ステップＳＴ６）。コンテンツ情報受信部１０５は、認証部１０３で受信が許可された個人コンテンツに関する情報を受信する（ステップＳＴ７）。コンテンツ情報受信部１０５は、受信した個人コンテンツに関する情報を、コンテンツ情報ＤＢ１０６に蓄積処理する（ステップＳＴ８）。
【００３１】
次に、画面に表示する放送番組表の作成を行なう（図１０、図１１、図１２参照）。
【００３２】
ＥＰＧ生成部１０７は、ＥＰＧ画面生成の要求を受け取り（ステップＳＴ９）、放送番組情報ＤＢ１０８に蓄積されている放送番組に関する情報を取得し（ステップＳＴ１０）、取得した情報を元に放送番組表を作成する（ステップＳＴ１１）。ＥＰＧ生成部１０７は、放送番組表のボタンフレームと放送番組情報の対応表をつくり（ステップＳＴ１２）、作成した対応表ＤＢ１１３に蓄積処理する（ステップＳＴ１３）。そして、ＥＰＧ生成部１０７は、コンテンツ情報ＤＢ１０６に蓄積されている個人コンテンツに関する情報を読み込み（ステップＳＴ１４）、読み込んだ情報を元に、個人コンテンツの有無を判定する（ステップＳＴ１５）。個人コンテンツがある場合（ステップＳＴ１５がＹＥＳ）、個人番組表のための空白のボタンフレームを個人コンテンツの数（例えば、図３では、コンテンツ数が２の場合を想定している。）だけ生成し、合成部１１０に通知する（ステップＳＴ１６）。一方、個人コンテンツがない場合（ステップＳＴ１５がＮＯ）、作成したＥＰＧを表示部１１１に通知し、表示部１１１がＥＰＧを画面に表示して（ステップＳＴ２６）、処理を終了する。
【００３３】
合成部１１０は、ビットマップ画像生成部１０９にビットマップ画像の生成依頼を送信する（ステップＳＴ１７）。ビットマップ画像生成部１０９は、合成部１１０からビットマップ画像の生成依頼を受け（ステップＳＴ１８）、コンテンツ情報ＤＢ１０６に蓄積されている個人コンテンツに関する情報を読み込み（ステップＳＴ１９）、読み込んだ情報を元に、ＥＰＧ生成部１０７で生成された個人番組表の空白のボタンフレームに表示するためのビットマップ画像を生成し（ステップＳＴ２０）、生成したビットマップ画像を合成部に通知する（ステップＳＴ２１）。合成部１１０は、ビットマップ画像生成部１０９からビットマップ画像を受信し（ステップＳＴ２２）、ＥＰＧ生成部１０７で生成した個人番組表の空白のボタンフレームの所定の箇所に、ビットマップ画像生成部１０９で生成したビットマップ画像をはりつける（ステップＳＴ２３）。その際、合成部１１０は、個人番組表のボタンフレームとコンテンツ情報の対応表を作成し（ステップＳＴ２４）、作成した対応表を対応表ＤＢ１１３に蓄積処理する（ステップＳＴ２５）。
【００３４】
表示部１１１は、合成部１１０で生成したＥＰＧを画面上に一覧表示する（ステップＳＴ２６）。
【００３５】
以上により、放送番組表と個人番組表を１つのＥＰＧとして合成表示することができる。
【００３６】
次に、本発明の実施の形態における、番組表示装置がＥＰＧ画面を表示している際に、特定の番組を選択操作する動作について、図１３を用いて説明する。
【００３７】
操作管理部１１２は、ＥＰＧ画面において特定の番組の選択操作により、処理を開始する（ステップＳＴ２７）。操作管理部１１２は、放送番組が選択されたか、個人コンテンツが選択されたかを判定する（ステップＳＴ２８）。
【００３８】
放送番組が選択された場合は（ステップＳＴ２８が放送番組選択）、対応表ＤＢ１１３から放送番組情報を取得し（ステップＳＴ２９）、チューナ部１１４へ受信命令を出す（ステップＳＴ３０）。チューナ部１１４は、操作管理部１１２から受け取った受信命令で指定されたチャネルの情報を元に、放送番組の映像・音声情報を受信する（ステップＳＴ３１）。
【００３９】
一方、個人コンテンツが選択された場合は（ステップＳＴ２８が個人コンテンツ選択）、対応表ＤＢ１１３からコンテンツ情報を取得し（ステップＳＴ３２）、ＩＰ受信部１１５へ受信命令を出す（ステップＳＴ３３）。ＩＰ受信部１１５は、操作管理部１１２から受け取った受信命令で指定された個人コンテンツの格納場所を特定するための情報を元に、インターネット上の個人コンテンツにアクセスし、個人コンテンツの映像・音声情報をＩＰパケットして受信する（ステップＳＴ３４）。
【００４０】
最後に、出力部１１６は、チューナ部１１４やＩＰ受信部１１５からの映像・音声を受信し、映像や音声を出力する（ステップＳＴ３５）。出力部１１６は、画面やスピーカ等からなる。
【００４１】
以上により、放送番組表と個人番組表を１つのＥＰＧとして合成表示し、放送番組表の操作と同一の操作により個人コンテンツの選択及び視聴が可能となる。
【産業上の利用可能性】
【００４２】
本発明にかかる番組表示装置は、ＥＰＧに個人コンテンツの個人番組表を合成表示する機能を有し、放送番組と個人コンテンツを受信可能な放送受信機（テレビ）やパソコンなどに有用である。また、携帯電話やＰＤＡなどの情報端末や、ＡＶ機器、カーナビゲーション機器などの用途にも応用できる。
【図面の簡単な説明】
【００４３】
【図１】本発明の実施の形態における番組表示装置の構成の一例を示すブロック図
【図２】ＥＰＧ画面の一例を示す図
【図３】本発明の実施の形態における放送番組表と個人番組表のための空白のボタンフレームを有するＥＰＧ画面の一例を示す図
【図４】本発明の実施の形態における個人番組表のための空白のボタンフレームが選択された状態のＥＰＧ画面の一例を示した図
【図５】本発明の実施の形態における個人コンテンツの内容を示すビットマップ画像を示した図
【図６】本発明の実施の形態における放送番組表と個人番組表を合成表示したＥＧＰ画面の一例を示す図
【図７】本発明の実施の形態における放送番組表と個人番組表を合成表示したＥＧＰ画面の一例を示す図
【図８】本発明の実施の形態における番組表示装置の動作を説明するフローチャート
【図９】本発明の実施の形態における番組表示装置の動作を説明するフローチャート
【図１０】本発明の実施の形態における番組表示装置の動作を説明するフローチャート
【図１１】本発明の実施の形態における番組表示装置の動作を説明するフローチャート
【図１２】本発明の実施の形態における番組表示装置の動作を説明するフローチャート
【図１３】本発明の実施の形態における番組表示装置の動作を説明するフローチャート
【図１４】本発明の実施の形態における番組表示装置を備えたシステムの一例を示すシステム構成図
【符号の説明】
【００４４】
１０１    番組表示装置
１０２    放送番組受信部
１０３    認証部
１０４    認証情報ＤＢ
１０５    コンテンツ情報受信部
１０６    コンテンツ情報ＤＢ
１０７    ＥＰＧ生成部
１０８    放送番組情報ＤＢ
１０９    ビットマップ画像生成部
１１０    合成部
１１１    表示部
１１２    操作管理部
１１３    対応表ＤＢ
１１４    チューナ部
１１５    ＩＰ受信部
１１６    出力部
【図１】
2006191254.tif 000003
【図２】
2006191254.tif 000004
【図３】
2006191254.tif 000005
【図４】
2006191254.tif 000006
【図５】
2006191254.tif 000007
【図６】
2006191254.tif 000008
【図７】
2006191254.tif 000009
【図８】
2006191254.tif 000010
【図９】
2006191254.tif 000011
【図１０】
2006191254.tif 000012
【図１１】
2006191254.tif 000013
【図１２】
2006191254.tif 000014
【図１３】
2006191254.tif 000015
【図１４】
2006191254.tif 000016